【手続補正書】
【提出日】平成27年3月26日(2015.3.26)
【手続補正１】
【補正対象書類名】明細書
【補正対象項目名】発明の名称
【補正方法】変更
【補正の内容】
【発明の名称】記録装置および記録装置の制御方法
【手続補正２】
【補正対象書類名】明細書
【補正対象項目名】０００１
【補正方法】変更
【補正の内容】
【０００１】
本発明はインクを吐出して記録を行う記録装置および記録装置の制御方法に関し、より詳細には、記録ヘッドとインクタンクとの間でインクを循環させて回復動作を行う記録装置および記録装置の制御方法に関する。
【手続補正３】
【補正対象書類名】明細書
【補正対象項目名】０００７
【補正方法】変更
【補正の内容】
【０００７】
そのため本発明の記録装置は、インクを貯留するインク貯留部と、前記インク貯留部に貯留されたインクを吐出する複数のノズルが配列されたノズル列を有する記録ヘッドと、前記記録ヘッドの、前記ノズル列の一端側と前記インク貯留部とを接続する第１のインク経路と、前記記録ヘッドの、前記ノズル列の他端側と前記インク貯留部とを接続する第２のインク経路と、を備えた記録装置において、前記第２のインク経路が遮断された状態で、前記第１のインク経路によって、前記インク貯留部から前記記録ヘッドへインクを供給し前記記録ヘッドからインクを排出する第１動作と、前記第１のインク経路が遮断された状態で、前記第２のインク経路によって、前記インク貯留部から前記記録ヘッドへインクを供給し前記記録ヘッドからインクを排出する第２動作と、を行う制御手段を備えていることを特徴とする。
【手続補正４】
【補正対象書類名】明細書
【補正対象項目名】０００８
【補正方法】変更
【補正の内容】
【０００８】
本発明によれば記録装置は、第２のインク経路が遮断された状態で、前記第１のインク経路によって、前記インク貯留部から前記記録ヘッドへインクを供給し前記記録ヘッドからインクを排出する第１動作と、前記第１のインク経路が遮断された状態で、前記第２のインク経路によって、前記インク貯留部から前記記録ヘッドへインクを供給し前記記録ヘッドからインクを排出する第２動作と、を行う制御手段を備えている。これによって、廃インクを極力少なくし、その後のワイピング処理にかかる時間を短くすることが出来るインクジェット記録装置及びその回復処理方法を実現することができた。
【手続補正５】
【補正対象書類名】特許請求の範囲
【補正対象項目名】全文
【補正方法】変更
【補正の内容】
【特許請求の範囲】
【請求項１】
インクを貯留するインク貯留部と、
前記インク貯留部に貯留されたインクを吐出する複数のノズルが配列されたノズル列を有する記録ヘッドと、
前記記録ヘッドの、前記ノズル列の一端側と前記インク貯留部とを接続する第１のインク経路と、
前記記録ヘッドの、前記ノズル列の他端側と前記インク貯留部とを接続する第２のインク経路と、を備えた記録装置において、
前記第２のインク経路が遮断された状態で、前記第１のインク経路によって、前記インク貯留部から前記記録ヘッドへインクを供給し前記記録ヘッドからインクを排出する第１動作と、
前記第１のインク経路が遮断された状態で、前記第２のインク経路によって、前記インク貯留部から前記記録ヘッドへインクを供給し前記記録ヘッドからインクを排出する第２動作と、を行う制御手段を備えていることを特徴とする記録装置。
【請求項２】
前記制御手段は、前記第１動作と前記第２動作とを交互に行うことを特徴とする請求項１に記載の記録装置。
【請求項３】
インクを貯留するインク貯留部と、
前記インク貯留部に貯留されたインクを吐出する複数のノズルが配列されたノズル列を有する記録ヘッドと、
前記記録ヘッドの、前記ノズル列の一端側と前記インク貯留部とを接続する第１のインク経路と、
前記記録ヘッドの、前記ノズル列の他端側と前記インク貯留部とを接続する第２のインク経路と、を備えた記録装置において、
前記第１のインク経路によって、前記インク貯留部から前記記録ヘッドへインクを供給し前記記録ヘッドからインクを排出する第１動作と、
前記第２のインク経路によって、前記インク貯留部から前記記録ヘッドへインクを供給し前記記録ヘッドからインクを排出する第２動作と、を同時に行う制御手段を備えることを特徴とする記録装置。
【請求項４】
前記制御手段は、前記第１のインク経路および前記第２のインク経路の経路内の前記インクの流速を制御することを特徴とする請求項１ないし請求項３のいずれか１項に記載の記録装置。
【請求項５】
第１のインク経路に配置された第１のポンプと、第２のインク経路に配置された第２のポンプと、を備え、
前記制御手段は、第１のポンプおよび前記第２のポンプを制御することを特徴とする請求項１ないし請求項４のいずれか１項に記載の記録装置。
【請求項６】
インクを貯留するインク貯留部と、
前記インク貯留部に貯留されたインクを吐出する複数のノズルが配列されたノズル列を有する記録ヘッドと、
前記記録ヘッドの、前記ノズル列の一端側と前記インク貯留部とを接続する第１のインク経路と、
前記記録ヘッドの、前記ノズル列の他端側と前記インク貯留部とを接続する第２のインク経路と、
前記第１のインク経路に配置される第１のポンプと、
前記第２のインク経路に配置される第２のポンプと、を備えた記録装置において、
前記第２のインク経路によって前記記録ヘッドから前記インク貯留部へ流れるインクの流速が、前記第１のインク経路によって前記インク貯留部から前記記録ヘッドへ流れるインクの流速よりも小さくなるように、前記第１のポンプおよび前記第２のポンプを駆動し、前記記録ヘッドからインクを排出する第１動作と、
前記第１のインク経路によって前記記録ヘッドから前記インク貯留部へ流れるインクの流速が、前記第２のインク経路によって前記インク貯留部から前記記録ヘッドへ流れるインクの流速よりも小さくなるように、前記第１のポンプおよび前記第２のポンプを駆動し、前記記録ヘッドからインクを排出する第２動作と、を行う制御手段を有することを特徴とする記録装置。
【請求項７】
前記記録ヘッドの前記ノズルが形成されたノズル面にワイパを当接させ、該ワイパと前記記録ヘッドとを相対的に移動させることによって、前記ノズル面のクリーニング動作を行うワイピング機構を有し、前記第１動作および前記第２動作の後に、前記ノズル面のクリーニング動作を行うことを特徴とする請求項１ないし請求項６のいずれか１項に記載の記録装置。
【請求項８】
前記ワイピング機構は、前記記録ヘッドの前記ノズルから前記インクを吸引するための圧力を発生する負圧発生手段を有することを特徴とする請求項７に記載の記録装置。
【請求項９】
インクを貯留するインク貯留部と、前記インク貯留部に貯留されたインクを吐出する複数のノズルが配列されたノズル列を有する記録ヘッドと、前記記録ヘッドの、前記ノズル列の一端側と前記インク貯留部とを接続する第１のインク経路と、前記記録ヘッドの、前記ノズル列の他端側と前記インク貯留部とを接続する第２のインク経路と、を備えた記録装置の制御方法において、
前記第２のインク経路が遮断された状態で、前記第１のインク経路によって、前記インク貯留部から前記記録ヘッドへインクを供給し前記記録ヘッドからインクを排出する第１の工程と、
前記第１のインク経路が遮断された状態で、前記第２のインク経路によって、前記インク貯留部から前記記録ヘッドへインクを供給し前記記録ヘッドからインクを排出する第２の工程と、
を有することを特徴とする記録装置の制御方法。
【請求項１０】
インクを貯留するインク貯留部と、前記インク貯留部に貯留されたインクを吐出する複数のノズルが配列されたノズル列を有する記録ヘッドと、前記記録ヘッドの、前記ノズル列の一端側と前記インク貯留部とを接続する第１のインク経路と、前記記録ヘッドの、前記ノズル列の他端側と前記インク貯留部とを接続する第２のインク経路と、を備えた記録装置の制御方法において、
前記第１のインク経路によって、前記インク貯留部から前記記録ヘッドへインクを供給し前記記録ヘッドからインクを排出する第１の工程と、
前記第２のインク経路によって、前記インク貯留部から前記記録ヘッドへインクを供給し前記記録ヘッドからインクを排出する第２の工程と、を有し、
前記第１の工程と前記第２の工程が同時に行われることを特徴とする記録装置の制御方法。
【請求項１１】
インクを貯留するインク貯留部と、前記インク貯留部に貯留されたインクを吐出する複数のノズルが配列されたノズル列を有する記録ヘッドと、前記記録ヘッドの、前記ノズル列の一端側と前記インク貯留部とを接続する第１のインク経路と、前記記録ヘッドの、前記ノズル列の他端側と前記インク貯留部とを接続する第２のインク経路と、前記第１のインク経路に配置される第１のポンプと、前記第２のインク経路に配置される第２のポンプと、を備えた記録装置の制御方法において、
前記第２のインク経路によって前記記録ヘッドから前記インク貯留部へ流れるインクの流速が、前記第１のインク経路によって前記インク貯留部から前記記録ヘッドへ流れるインクの流速よりも小さくなるように、前記第１のポンプおよび前記第２のポンプを駆動し、前記記録ヘッドからインクを排出する第１の工程と、
前記第１のインク経路によって前記記録ヘッドから前記インク貯留部へ流れるインクの流速が、前記第２のインク経路によって前記インク貯留部から前記記録ヘッドへ流れるインクの流速よりも小さくなるように、前記第１のポンプおよび前記第２のポンプを駆動し、前記記録ヘッドからインクを排出する第２の工程と、を有することを特徴とする記録装置の制御方法。